(57)【要約】 【課題】  構成部品数を減らし、更なる小型化と軽量化を可能とするボタン電池ホルダを提供する。【解決手段】  板バネ片（１１）が形成された負極コンタクト（３）と、ボタン電池（１１０）の側面を囲う位置決め枠部（４）と、受圧片（６）とが形成された正極コンタクト（２）とを、それぞれプリント配線基板（１１１）の負極パターンと正極パターンに半田接続してプリント配線基板（１１１）上に固定し、ボタン電池（１１０）を位置決め枠部（４）で水平方向で位置決めするとともに、板バネ片（１１）と受圧片（６）の間に挟み、上下方向で位置決めする。正極コンタクト（２）と負極コンタクト（３）を、絶縁ケースに位置決めすることなく、位置決めしたボタン電池（１１０）の正極（１１０ａ）と負極（１１０ｂ）へ接触させ、それぞれプリント配線基板（１１１）の負極パターンと正極パターンに電気接続する。【選択図】  図１
2007005078.tif 000002
【特許請求の範囲】
【請求項１】
プリント配線基板（１１１）の負極パターンに半田接続される負極半田接続板部（１０）と、負極半田接続板部（１０）から斜め上方に向かって折り曲げられた板バネ片（１１）とが、導電性金属板から一体に形成された負極コンタクト（３）と、
ボタン電池（１１０）の側面を囲い、ボタン電池（１１０）を位置決め収容する位置決め枠部（４）と、位置決め枠部（４）の下端部の複数の位置に連設され、プリント配線基板（１１１）の正極パターンに半田接続される正極半田接続部（５）と、位置決め枠部（４）の上端部から位置決め枠部（４）で囲まれる中心方向に向かって突設された受圧片（６）とが、導電性金属板から一体に形成された正極コンタクト（２）とからなり、
正極半田接続部（５）を、プリント配線基板（１１１）の正極パターンに半田接続することにより、位置決め枠部（４）に囲われるボタン電池（１１０）の下面を、負極コンタクト（３）の板バネ片（１１）上に載置し、ボタン電池（１１０）を受圧片（６）と板バネ片（１１）との間で挟持し、
負極コンタクト（３）の板バネ片（１１）を、ボタン電池（１１０）の下面に露出する負極（１１０ｂ）に弾性接触させ、ボタン電池（１１０）の負極（１１０ｂ）をプリント配線基板（１１１）の負極パターンへ電気接続させると共に、
正極コンタクト（２）の位置決め枠部（４）を、ボタン電池（１１０）の側面に露出する正極（１１０ａ）に弾性接触させ、ボタン電池（１１０）の正極（１１０ａ）をプリント配線基板（１１１）の正極パターンへ電気接続させることを特徴とするボタン電池ホルダ。
【請求項２】
位置決め枠部（４）は、中心軸（Ｎ）がプリント配線基板（１１１）に直交する鉛直方向となる筒状に形成され、
受圧片は、位置決め枠部（４）の上端部から中心方向に向かって切り起こされ、上面を位置決め枠部（４）の中心方向に向かって下方に傾斜するガイド面（６ａ）とし、下面をボタン電池（１１０）の上面が当接する受圧面（６ｂ）とする切り起こし片（６）で形成され、
ボタン電池（１１０）を切り起こし片（６）のガイド面（６ａ）に当接させることにより、拡径する位置決め枠部（４）の上方から、切り起こし片（６）を乗り越えてボタン電池（１１０）を位置決め枠部（４）内に収容することを特徴とする請求項１に記載のボタン電池ホルダ。
【請求項３】
負極コンタクト（３）は、位置決め枠部（４）の中心軸（Ｎ）が交差する負極半田接続板部（１０）の中心から、複数の板バネ片（１１）が放射状に斜め上方に向かって折り曲げられ、
各板バネ片（１１）は、先端部（１１ａ）が下方に開口する位置決め枠部（４）の仮止め凹部（８）に収容され、中間に、上方に突出しボタン電池（１１０）の負極（１１０ｂ）に弾性接触する接触凸部（１１ｂ）が形成され、
プリント配線基板（１１１）への半田接続前に、仮止め凹部（８）に収容される板バネ片（１１）の先端部（１１ａ）と仮止め凹部（８）との間に仮止め部材（１３）を介在させて、正極コンタクト（２）に負極コンタクト（３）を仮保持することを特徴とする請求項２記載のボタン電池ホルダ。
【請求項４】
負極コンタクト（３）は、位置決め枠部（４）の中心軸（Ｎ）が交差する負極半田接続板部（１０）の中心から、複数の板バネ片（２２）が放射状に斜め上方に向かって折り曲げられ、
各板バネ片（２２）は、先端部（２２ａ）が下方に開口する位置決め枠部（４）の仮止め凹部（２１）に収容され、中間に、上方に突出しボタン電池（１１０）の負極（１１０ｂ）に弾性接触する接触凸部（１１ｂ）が形成され、
プリント配線基板（１１１）への半田接続前に、仮止め凹部（２１）に収容される板バネ片（２２）の先端部（２２ａ）を仮止め凹部（２１）に係合させて、正極コンタクト（２）に負極コンタクト（３）を仮保持することを特徴とする請求項２記載のボタン電池ホルダ。
【請求項５】
正極コンタクト（２）に仮保持される負極コンタクト（３）は、負極半田接続板部（１０）と正極半田接続部（５）をそれぞれプリント配線基板（１１１）の負極パターンと正極パターンへ半田接続して、プリント配線基板（１１１）上に固着された後、切り起こし片（６）を乗り越えて位置決め枠部（４）内に収容されるボタン電池（１１０）が、板バネ片（１１）を押し下げることにより、仮止め凹部（８）から分離されることを特徴とする請求項３又は請求項４に記載のボタン電池ホルダ。
【請求項６】
正極コンタクト（２）に仮保持される負極コンタクト（３）は、実装機で負極半田接続板部（１０）と正極半田接続部（５）をそれぞれプリント配線基板（１１１）の負極パターンと正極パターン上へ移送した後、実装機のプッシャーが板バネ片（１１）を押し下げることにより、仮止め凹部（８）から分離されることを特徴とする請求項３又は請求項４に記載のボタン電池ホルダ。
【請求項７】
切り起こし片（６）は、位置決め枠部（４）の上端部の少なくとも３カ所の異なる位置から中心方向に向かって切り起こされ、切り起こし片（６）が形成された下方の位置決め枠部（４）に、鉛直方向に沿って位置決め枠部（４）の中心方向に向けて補強リブ（７）が突設されたことを特徴とする請求項２乃至請求項６のいずれか１項に記載のボタン電池ホルダ。
【請求項８】
プリント配線基板（１１１）の負極パターンに半田接続される負極半田接続板部（３３）と、負極半田接続板部（３３）から斜め上方に向かって折り曲げられた板バネ片（３４）とが、導電性金属板から一体に形成された負極コンタクト（３１）と、
左右の側板（３５）上に掛け渡された受圧板（３９）と、受圧板（３９）の後端に垂設される背板（３６）から、前方に向かって片持ち支持され、ボタン電池（１１０）の側面を挟持し、ボタン電池（１１０）を受圧板（３９）の下方に位置決めする一対の弾性腕部（３７）と、側板（３５）の下端に連設され、プリント配線基板（１１１）の正極パターンに半田接続される正極半田接続部（３８）とが、導電性金属板から一体に形成された正極コンタクト（３２）とからなり、
正極半田接続部（３８）を、プリント配線基板（１１１）の正極パターンに半田接続することにより、一対の弾性腕部（３７）に位置決めされるボタン電池（１１０）の下面を、負極コンタクト（３１）の板バネ片（３４）上に載置し、ボタン電池（１１０）を受圧板（３９）と板バネ片（３４）との間で挟持し、
負極コンタクト（３１）の板バネ片（３４）を、ボタン電池（１１０）の下面に露出する負極（１１０ｂ）に弾性接触させ、ボタン電池（１１０）の負極（１１０ｂ）をプリント配線基板（１１１）の負極パターンへ電気接続させると共に、
正極コンタクト（３２）の一対の弾性腕部（３７）を、ボタン電池（１１０）の側面に露出する正極（１１０ａ）に弾性接触させ、ボタン電池（１１０）の正極（１１０ａ）をプリント配線基板（１１１）の正極パターンへ電気接続させることを特徴とするボタン電池ホルダ。
【発明の詳細な説明】
【技術分野】
【０００１】
本発明は、円盤状のボタン電池を着脱自在に収容し、プリント配線基板の電源パターンへ電気接続するボタン電池ホルダに関する。
【背景技術】
【０００２】
携帯電話機、カメラ等のポータブル機器には、円盤状のボタン電池がその駆動電源として使用され、機器内のプリント配線基板には、ボタン電池を着脱自在に収容するボタン電池ホルダが実装されている。ボタン電池ホルダは、ポータブル機器内に備えられるものであることから、小型かつ軽量化が求められ、従来は、ボタン電池の正極と負極にそれぞれ接続する一対のコンタクトが絶縁ケースに固定された構成となっていた（特許文献１）。
【０００３】
【特許文献１】特開２００３−１５７８１８号公報（第３欄、第４欄、図４）
【０００４】
図１５は、この従来のボタン電池ホルダ１００を示すもので、直方体状に成形された絶縁ケース１０１と、絶縁ケース１０１に固定された正極コンタクト１０２及び負極コンタクト１０３で構成されている。絶縁ケース１０１には、上面に開口する収容凹部１０４が凹設され、円盤状のボタン電池１１０を上方から挿入し、位置決め収容するようになっている。
【０００５】
正極コンタクト１０２は、絶縁ハウジング１０１に固着される支持部１０２ａと、支持部１０２ａの一側からプリント配線基板１１１の表面側に突出する正極半田接続部１０２ｂと、支持部１０２ａに片持ち支持され、収容凹部１０４内に突出する板バネ片１０２ｃが導電性金属板で一体に形成されている。
【０００６】
また、負極コンタクト１０３も、絶縁ハウジング１０１に固着される支持部１０３ａと、支持部１０３ａの一側からプリント配線基板１１１の表面側に突出する負極半田接続部１０３ｂと、支持部１０３ａに片持ち支持され、正極コンタクト１０２の板バネ片１０２ｃと対向する収容凹部１０４内に突出する板バネ片１０３ｃが導電性金属板で一体に形成されている。
【０００７】
このように構成されたボタン電池ホルダ１００は、正極半田接続部１０２ｂと負極半田接続部１０３ｂをそれぞれプリント配線基板１１１の表面に形成された正極パターンと負極パターンへ半田接続し、電気接続すると共に、全体がプリント配線基板１１１上に固定される。
【０００８】
収容凹部１０４に収容されるボタン電池１１０は、下面（図では右側の面）に負極が露出し、側面と上面の全体に正極が露出している。従って、図に示すボタン電池ホルダ１００は、縦向きとして上方から収容凹部１０４内に収容され、収容されたボタン電池１１０の正極と負極に、対向面に臨む正極コンタクト１０２の板バネ片１０２ｃと負極コンタクト１０３の板バネ片１０３ｃが弾性接触する。これによって、ボタン電池１１０の正極と負極は、正極コンタクト１０２と負極コンタクト１０３を介して、プリント配線基板１１１の正極パターンと負極パターンに電気接続する。
【発明の開示】
【発明が解決しようとする課題】
【０００９】
しかしながら、従来のボタン電池ホルダ１００は、コンタクト１０２、１０３を絶縁ケース１０１へ圧入して組み込んだり、絶縁ケース１０１の成形の際に一体成形し、絶縁ケース１０１に一組の正極コンタクト１０２と負極コンタクト１０３を固定する工程を要していたため、組立や成形に余分な時間と作業を要していた。
【００１０】
更に、絶縁ケース１０１へコンタクト１０２、１０３を固定する前には、個々の部品を個別に管理する必要があり、組立や一体成の工程でこれらを一体化する余分な工程を要していた。
【００１１】
また、絶縁ケース１０１を構成部品として必要とすることから、ボタン電池ホルダ全体の小型化、軽量化に限界があり、更に、プリント配線基板１１１への実装スペースが大きく、プリント配線基板１１１の小型化ができず、機器全体の小型、軽量化の障害にもなっていた。
【００１２】
本発明は、このような従来の問題点を考慮してなされたものであり、構成部品数を減らし、更なる小型化と軽量化を可能とするボタン電池ホルダを提供することを目的とする。
【００１３】
また、プリント配線基板への実装スペースを縮小し、ボタン電池ホルダが備えられる機器全体の小型化と軽量化するボタン電池ホルダを提供することを目的とする。
【００１４】
また、個々の部品をプリント配線基板への実装形態で仮保持し、実装工程の作業性を向上させるボタン電池ホルダを提供することを目的とする。
【課題を解決するための手段】
【００１５】
上述の目的を達成するため、請求項１のボタン電池ホルダは、プリント配線基板の負極パターンに半田接続される負極半田接続板部と、負極半田接続板部から斜め上方に向かって折り曲げられた板バネ片とが、導電性金属板から一体に形成された負極コンタクトと、ボタン電池の側面を囲い、ボタン電池を位置決め収容する位置決め枠部と、位置決め枠部の下端部の複数の位置に連設され、プリント配線基板の正極パターンに半田接続される正極半田接続部と、位置決め枠部の上端部から位置決め枠部で囲まれる中心方向に向かって突設された受圧片とが、導電性金属板から一体に形成された正極コンタクトとからなり、正極半田接続部を、プリント配線基板の正極パターンに半田接続することにより、位置決め枠部に囲われるボタン電池の下面を、負極コンタクトの板バネ片上に載置し、ボタン電池を受圧片と板バネ片との間で挟持し、負極コンタクトの板バネ片を、ボタン電池の下面に露出する負極に弾性接触させ、ボタン電池の負極をプリント配線基板の負極パターンへ電気接続させると共に、正極コンタクトの位置決め枠部を、ボタン電池の側面に露出する正極に弾性接触させ、ボタン電池の正極をプリント配線基板の正極パターンへ電気接続させることを特徴とする。
【００１６】
負極コンタクトと正極コンタクトは、それぞれプリント配線基板の負極パターンと正極パターンに半田接続されることにより、絶縁ケースを用いることなく、プリント配線基板に対して位置決め固定される。ボタン電池は、プリント配線基板に位置決めされた負極コンタクトの板バネ片と、正極コンタクトの受圧片とに挟まれることにより、上下方向に位置決めされ、また、位置決め枠部に収容されることにより、水平方向に位置決めされる。
【００１７】
ボタン電池の負極と正極は、ボタン電池が負極コンタクトの板バネ片と正極コンタクトの受圧片に挟まれることにより、それぞれプリント配線基板の負極パターンと正極パターンに電気接続する。
【００１８】
請求項２のボタン電池ホルダは、位置決め枠部が、中心軸がプリント配線基板に直交する鉛直方向となる筒状に形成され、受圧片は、位置決め枠部の上端部から中心方向に向かって切り起こされ、上面を位置決め枠部の中心方向に向かって下方に傾斜するガイド面とし、下面をボタン電池の上面が当接する受圧面とする切り起こし片で形成され、ボタン電池を切り起こし片のガイド面に当接させることにより、拡径する位置決め枠部の上方から、切り起こし片を乗り越えてボタン電池を位置決め枠部内に収容することを特徴とする。
【００１９】
ボタン電池を、上方から切り起こし片のガイド面に当接させると、ボタン電池は、拡径方向に後退する切り起こし片を乗り越え、切り起こし片の受圧面と板バネ片とに挟持され、筒状の位置決め枠部内に位置決めされる。
【００２０】
請求項３のボタン電池ホルダは、負極コンタクトが、負極半田接続板部の位置決め枠部の中心軸が交差する中心から、複数の板バネ片が放射状に斜め上方に向かって折り曲げられ、各板バネ片は、先端部が下方に開口する位置決め枠部の仮止め凹部に収容され、中間に、上方に突出しボタン電池の負極に弾性接触する接触凸部が形成され、プリント配線基板への半田接続前に、仮止め凹部に収容される板バネ片の先端部と仮止め凹部との間に仮止め部材を介在させて、正極コンタクトに負極コンタクトを仮保持することを特徴とする。
【００２１】
負極コンタクトの複数の板バネ片は、放射状に上方に折り曲げられた先端部が、位置決め枠部の仮止め凹部に収容されるので、ボタン電池を収容する前には、板バネ片と仮止め凹部の周縁が近接し、この間に仮止め部材を介在させることにより、プリント配線基板に半田接続させる形態で、正極コンタクトと負極コンタクトとを仮保持させることができる。
【００２２】
ボタン電池を収容した状態では、上方に折り曲げた板バネ片は下方に撓み、上方に突出する接触凸部がボタン電池の負極に弾性接触し、その先端部は、下方に開口する仮止め凹部から自然に離れるので、正極コンタクトと負極コンタクトが誤接触することがない。
【００２３】
請求項４のボタン電池ホルダは、負極コンタクトは、位置決め枠部の中心軸が交差する負極半田接続板部の中心から、複数の板バネ片が放射状に斜め上方に向かって折り曲げられ、各板バネ片は、先端部が下方に開口する位置決め枠部の仮止め凹部に収容され、中間に、上方に突出しボタン電池の負極に弾性接触する接触凸部が形成され、プリント配線基板への半田接続前に、仮止め凹部に収容される板バネ片の先端部を仮止め凹部に係合させて、正極コンタクトに負極コンタクトを仮保持することを特徴とする。
【００２４】
負極コンタクトの複数の板バネ片は、放射状に上方に折り曲げられた先端部が、位置決め枠部の仮止め凹部に収容されるので、ボタン電池を収容する前には、板バネ片を仮止め凹部へ係合させることにより、プリント配線基板に半田接続させる形態で、正極コンタクトと負極コンタクトとを仮保持させることができる。
【００２５】
ボタン電池を収容することにより、上方に折り曲げた板バネ片は下方に撓み、上方に突出する接触凸部がボタン電池の負極に弾性接触し、その先端部は、下方に開口する仮止め凹部から自然に離れるので、正極コンタクトと負極コンタクトが誤接触することがない。
【００２６】
請求項５のボタン電池ホルダは、正極コンタクトに仮保持される負極コンタクトは、負極半田接続板部と正極半田接続部をそれぞれプリント配線基板の負極パターンと正極パターンへ半田接続して、プリント配線基板上に固着された後、切り起こし片を乗り越えて位置決め枠部内に収容されるボタン電池が、板バネ片を押し下げることにより、仮止め凹部から分離されることを特徴とする。
【００２７】
相互に仮保持された状態でプリント配線基板に実装された正極コンタクトと負極コンタクトは、ボタン電池を収容する使用時に、ボタン電池が板バネ片を押し下げることにより、仮止め凹部から分離される。
【００２８】
請求項６のボタン電池ホルダは、正極コンタクトに仮保持される負極コンタクトは、実装機で負極半田接続板部と正極半田接続部をそれぞれプリント配線基板の負極パターンと正極パターン上へ移送した後、実装機のプッシャーが板バネ片を押し下げることにより、仮止め凹部から分離されることを特徴とする。
【００２９】
プリント配線基板への実装前に、相互に仮保持された正極コンタクトと負極コンタクトは、プリント配線基板への実装の際に、実装機のプッシャーが板バネ片を押し下げることにより、仮止め凹部から分離される。
【００３０】
請求項７のボタン電池ホルダは、切り起こし片が、位置決め枠部の上端部の少なくとも３カ所の異なる位置から中心方向に向かって切り起こされ、切り起こし片が形成された下方の位置決め枠部に、鉛直方向に沿って位置決め枠部の中心方向に向けて補強リブが突設されたことを特徴とする。
【００３１】
ボタン電池が切り起こし片を乗り越え、拡径方向に変位する位置決め枠部は、補強リブが形成されることにより補強される。
【００３２】
補強リブとボタン電池の側面に露出する正極は、線接触し、また、少なくとも３カ所に突設された補強リブが正極と接触するので、両者が確実に電気接続する。
【００３３】
請求項８のボタン電池ホルダは、プリント配線基板の負極パターンに半田接続される負極半田接続板部と、負極半田接続板部から斜め上方に向かって折り曲げられた板バネ片とが、導電性金属板から一体に形成された負極コンタクトと、左右の側板上に掛け渡された受圧板と、受圧板の後端に垂設される背板から、前方に向かって片持ち支持され、ボタン電池の側面を挟持し、ボタン電池を受圧板の下方に位置決めする一対の弾性腕部と、側板の下端に連設され、プリント配線基板の正極パターンに半田接続される正極半田接続部とが、導電性金属板から一体に形成された正極コンタクトとからなり、正極半田接続部を、プリント配線基板の正極パターンに半田接続することにより、一対の弾性腕部に位置決めされるボタン電池の下面を、負極コンタクトの板バネ片上に載置し、ボタン電池を受圧板と板バネ片との間で挟持し、負極コンタクトの板バネ片を、ボタン電池の下面に露出する負極に弾性接触させ、ボタン電池の負極をプリント配線基板の負極パターンへ電気接続させると共に、正極コンタクトの一対の弾性腕部を、ボタン電池の側面に露出する正極に弾性接触させ、ボタン電池の正極をプリント配線基板の正極パターンへ電気接続させることを特徴とする。
【００３４】
負極コンタクトと正極コンタクトは、それぞれプリント配線基板の負極パターンと正極パターンに半田接続されることにより、絶縁ケースを用いることなく、プリント配線基板に対して位置決め固定される。ボタン電池は、プリント配線基板に位置決めされた負極コンタクトの板バネ片と、正極コンタクトの受圧板に挟まれることにより、上下方向に位置決めされ、また、一対の弾性腕部に収容されることにより、水平方向に位置決めされる。
【００３５】
ボタン電池の負極と正極は、ボタン電池が負極コンタクトの板バネ片と正極コンタクトの受圧板に挟まれることにより、それぞれプリント配線基板の負極パターンと正極パターンに電気接続する。
【発明の効果】
【００３６】
請求項１の発明によれば、絶縁ケースを用いることなく、プリント配線基板に対して負極コンタクトと正極コンタクトが位置決めされ、また、絶縁ケースを用いることなく、ボタン電池が負極コンタクトと正極コンタクトのみで位置決めされる。絶縁ケースを用いないので、ボタン電池ホルダの全体が小型化され、軽量化される。
【００３７】
また、絶縁ケースがプリント配線基板の実装面を覆うことがないので、実装スペースが縮小し、プリント配線基板を縮小できるので、ボタン電池ホルダが備えられる機器全体が小型化し、軽量化される。
【００３８】
請求項２の発明によれば、プリント配線基板の実装面に直交する上方からボタン電池をボタン電池ホルダ内に収容することができる。
【００３９】
請求項３と請求項４の発明によれば、ボタン電池を収容する前に、正極コンタクトと負極コンタクトとが近接する部位を利用して、仮止め部材を介在させることにより、個々のコンタクトを個別に管理することなく、プリント配線基板への実装形態で仮保持できる。
【００４０】
また、正極コンタクトと負極コンタクトとを、プリント配線基板への実装形態で仮保持することができるので、仮保持した形態のまま両者をまとめて実装することが可能となり、実装工程の作業性が向上する。
【００４１】
また、請求項３の発明によれば、仮止め部材を絶縁物で構成することにより、より確実に正極コンタクトと負極コンタクト間を絶縁できる。
【００４２】
また、請求項４の発明によれば、仮止めの為に別の部材を用いることなく、プリント配線基板への実装前に、正極コンタクトと負極コンタクトとを仮止めし、ボタン電池が収容される使用状態では、正極コンタクトと負極コンタクト間を確実に絶縁できる。
【００４３】
また、請求項５の発明によれば、正極コンタクトと負極コンタクトとを、相対的に位置決めした状態で、プリント配線基板の正極パターンと負極パターンへ半田接続するので、対応するパターンへ位置ずれなく半田接続できる。
【００４４】
また、正極コンタクトと負極コンタクトとの仮止めを、特に別に解除工程を設けることなく、ボタン電池を収容する作業で解除させることができる。
【００４５】
また、請求項６の発明によれば、正極コンタクトと負極コンタクトとを、相対的に位置決めした状態で、プリント配線基板の正極パターンと負極パターン上へ移送できるので、対応するパターンを正確に対向させ、位置ずれなく半田接続できる。
【００４６】
また、正極コンタクトと負極コンタクトとの仮止めを、特に別に解除工程を設けることなく、プリント配線基板への実装の際の実装機のプッシャーで解除させることができる。
【００４７】
また、請求項７の発明によれば、ボタン電池を収容する際に最も応力が集中する位置決め枠部の部位が補強リブで補強されるので、塑性変形することなく、繰り返してボタン電池を着脱させることができる。
【００４８】
また、ボタン電池の側面に露出する正極は、位置決めするために筒状とした位置決め枠部に面接触させることなく、補強リブで線接触させ、更に、少なくとも３カ所の補強リブを接触させる構造としたので、両者が確実に電気接続し、接続不良が生じない。
【００４９】
更に、筒状の少なくとも異なる３カ所の位置から突設される補強リブによって、ボタン電池が位置決めされるので、ボタン電池の下面を板バネ片上に正確に位置決めできる。
【００５０】
請求項８の発明によれば、絶縁ケースを用いることなく、ボタン電池を位置決めし、正極と負極を、対応するプリント配線基板のパターンへ電気接続できる。
【００５１】
また、プリント配線基板の実装面に平行に、側方からボタン電池をボタン電池ホルダ内に収容することができる。
【発明を実施するための最良の形態】
【００５２】
以下、本発明の第１実施形態を、図１乃至図９で説明する。図１と図２は、それぞれ本実施の形態に係るボタン電池ホルダ１を斜め上方と斜め下方からみた斜視図、図３は、ボタン電池ホルダ１の平面図、図４は、同側面図である。
【００５３】
これらの図に示すように、ボタン電池ホルダ１は、筒状とした正極コンタクト２と、十字形とした負極コンタクト３で構成されている。正極コンタクト２と負極コンタクト３は、後述するようにプリント配線基板１１１の表面に実装されるもので、以下の説明では、正極コンタクトと負極コンタクトがプリント配線基板１１１に実装された状態で、プリント配線基板１１１の実装面と平行な方向を水平方向と、実装面に直交する鉛直方向で表面側を上方と、背面側を下方として、各構成を詳述する。
【００５４】
正極コンタクト２は、図７と図８に示すように、平面視８角筒状に形成された位置決め枠部４と、位置決め枠部４の下端に連設された正極半田接続部５と、位置決め枠部４の上端から切り起こされた受圧片となる切り起こし片６が、燐青銅などの同合金からなる導電性板材を打ち抜いて一体に形成されている。
【００５５】
位置決め枠部４は、図３の一点鎖線で示す側面が円形のボタン電池１１０を水平に位置決め収容するように、中心軸Ｎが上下方向でボタン電池１１０の側面に外接する８角筒状に形成されている。８角筒状の位置決め枠部４は、中心軸回りの４５度間隔で補強側面部４ａと連結側面部４ｂが交互に連続し、補強側面部４ａの上端に切り起こし片６が切り起こされ、下端に外方に折り曲げられた正極半田接続部５が連設されている。更に、この補強側面部４ａには、内方（中心軸Ｎ方向）に打ち出された補強リブ７が上下方向に沿って突設されている。
【００５６】
また、補強側面部４ａ間の連結側面部４ｂは、下端が細長の切り欠き部１２により切り欠かれ、また、このうち中心軸Ｎについて対向する一組の連結側面部４ｂには、更に切り欠き部１２の中央に下方に開口する仮止め凹部８が凹設されている。仮止め凹部８の水平方向の幅は、後述する負極コンタクト３側の板バネ片１１の先端部１１ａの幅よりわずかに幅広となっている。
【００５７】
切り起こし片６は、下端が水平方向の両側からスリット９で切り欠かれた後、内方に向けて折り曲げられることにより、補強側面部４ａの上端から分離された一対の耳片で形成され、その上面が先端に向かって下方に傾斜するガイド面６ａと、下面が水平な受圧面６ｂとなっている。
【００５８】
正極半田接続部５は、中心軸回りで９０度間隔の各補強側面部４ａの下端から外方に向けて直角に折り曲げられ、プリント配線基板１１１の実装面となる表面と平行に連設される。一方、プリント配線基板１１１の表面には、４カ所の位置に連設された正極半田接続部５とそれぞれ対向する部位に、正極パターンが印刷形成されている。従って、正極半田接続部５と正極パターンを半田接続することにより、正極コンタクト２は、プリント配線基板１１１の正極パターンに電気接続するとともに、４カ所の位置でプリント配線基板１１１の表面に固着し、位置決め枠部４が中心軸方向を鉛直方向としてプリント配線基板１１１上に起立支持される。
【００５９】
また、負極コンタクト３は、細長板状の負極半田接続板部１０と、そのほぼ中央部１０ａ両側から負極半田接続部１０の長手方向と直交する方向に連設される一対の板バネ片１１とが、燐青銅などの同合金からなる導電性板材を打ち抜き、全体が図９（ａ）に示すように平面視十字形に一体に形成されたものである。
【００６０】
負極半田接続板部１０の長手方向の長さは、位置決め枠部４の外径よりやや長く、その両端部１０ｂは、図３に示すように、プリント配線基板１１１上に正極コンタクト２が起立支持された状態で、連結側面部４ｂの切り欠き部１２を挿通し外方に突出するようになっている。すなわち、負極半田接続板部１０が半田接続されるプリント配線基板１１１の負極パターンは、正極半田接続部５を正極パターンへ半田接続した際に、仮止め凹部８が形成されていない側の一組の連結側面部４ｂの外方に印刷形成され、切り欠き部１２を挿通する負極半田接続板部１０と半田接続させている。
【００６１】
負極半田接続板部１０を負極パターンへ半田接続することにより、負極コンタクト３は、負極半田接続板部１０が正極コンタクト２に接触することなく負極パターンに電気接続し、また、その中央部１０ａが、正極コンタクト３の中心、すなわち位置決め枠部４の中心軸Ｎとなる位置で、負極コンタクト３の全体がプリント配線基板１１１上に位置決め固定される。負極半田接続板部１０の中央部１０ａの両側で、両端部１０ｂ、１０ｂとの中間位置には、上方に向けて接触凸部１０ｃが突設されている。
【００６２】
板バネ片１１は、図９に示すように、中央部１０ａに連続する基端から全体が斜め上方に折り曲げられることにより中央部１０ａに片持ち支持され、先端部１１ａは、水平方向に折り返された先端が上方に折り曲げられている。負極コンタクト３がプリント配線基板１１１上に固定された状態で、先端部１１ａは、正極コンタクト２側の仮止め凹部８内に位置し、仮止め凹部８の内壁面に近接している。また、負極半田接続板部１０と同様に、板バネ片１１の中間位置にも、上方に向けて接触凸部１１ｂが突設されている。
【００６３】
本実施の形態では、板バネ片１１の先端部１１ａに、図１乃至図４に示すように、塩化ビニールなどの合成樹脂製の絶縁キャップ１３を嵌着させている。絶縁キャップ１３は、ある程度の伸縮性を有し、先端部１１ａと仮止め凹部８との間に圧縮して挟まれ、これにより、正極コンタクト２と負極コンタクト３は、両者がプリント配線基板１１１へ半田付けされる姿勢を保ち、相互に仮止めされる。
【００６４】
従って、絶縁キャップ１３を介して仮止めされた正極コンタクト２と負極コンタクト３とは、その仮止めされた姿勢のまま一体で、エンボステーピングなどに収容し、プリント配線基板への実装機に移送することができる。
【００６５】
実装機では、吸着ヘッドを、負極半田接続板部１０の平坦な中央部１０ａへ吸着させることにより、仮止めされた正極コンタクト２と負極コンタクト３の全体を、半田付けされる姿勢を保ったまま、対応する正極パターンと負極パターン上に対向するように移送することができ、プリント配線基板１１１の対応するパターンへ半田付けする実装工程を迅速にかつ正確に行うことができる。プリント配線基板１１１上へ移送させる際に、吸着ヘッドを吸着させる中央部１０ａは、水平面で、正極コンタクト２と負極コンタクト３の全体の重心にあるので、ボタン電池ホルダ１の全体を水平に支持しながら移送させることができる。
【００６６】
ボタン電池ホルダ１をプリント配線基板１１１へ実装する工程で、正極半田接続部５と負極半田接続板部１０は、それぞれ対応する正極パターンと負極パターンへ半田接続され、正極コンタクト２と負極コンタクト３は、プリント配線基板１１１上の対応する各パターンに電気接続されるとともに、プリント配線基板１１１上に固定される。
【００６７】
プリント配線基板１１１へ実装したボタン電池ホルダ１へ収容するボタン電池１１０は、上述したように、側面が円形のボタン状で、扁平ないずれか一面に負極１１０ｂが露出し、側面を含む他の周囲に正極１１０ａが露出している。
【００６８】
ボタン電池ホルダ１へボタン電池１１０を収容させる場合には、ボタン電池１１０を負極１１０ｂが露出する一面を下面として水平に支持した状態で、上方から位置決め枠部４内に挿入する。図３に示すように、位置決め枠部４の上方には、内方に向けて切り起こし片６が突出しているので、ボタン電池１１０の下端は、切り起こし片６のガイド面６ａに当接し、切り起こし片６と切り起こし片６と一体の位置決め枠部４を外方（拡径方向）へ変形させながら、ボタン電池１１０を下方へ押し込む。
【００６９】
ボタン電池１１０を位置決め枠部４内へ押し込む過程で、ボタン電池１１０の下端は、更に上方に片持ち支持されている板バネ片１１に当接し、板バネ片１１を下方へ押し下げる。その結果、絶縁キャップ１３が挟まれることにより、仮止め凹部８に仮止めされていた板バネ片１１の先端部１１ａは、仮止めが解かれ、下降して仮止め凹部８から離れる。
【００７０】
下方に押し込むボタン電池１１０が切り起こし片６を乗り越えると、外方に撓んでいた切り起こし片６は、原位置に復帰し、その下面の受圧面６ｂがボタン電池１１０の上面に当接し、ボタン電池１１０の上方への移動が規制される。同時に、外方に撓んでいた位置決め枠部４も原位置に復帰し、補強リブ７がボタン電池１１０の側面に弾性接触する。
【００７１】
従って、切り起こし片６を乗り越え位置決め枠部４内に収容されたボタン電池１１０は、図６に示すように、上方に付勢された板バネ片１１と切り起こし片６との間で上下方向に位置決めされ、図３に示すように、４カ所の補強リブ７がその側面に弾性接触することにより、位置決め枠部４内に位置決めされる。また、ボタン電池１１０の正極１１０ａは、補強リブ７が側面に弾性接触することにより、正極コンタクト２を介してプリント配線基板１１１の正極パターンに電気接続し、負極１１０ｂは、板バネ片１１の接触凸部１１ｂが下面に弾性接触することにより、負極コンタクト３を介してプリント配線基板１１１の負極パターンに電気接続する。尚、板バネ片１１の中間に接触凸部１１ｂを設けるのは、ボタン電池１１０の下面であっても、その周囲は側面から連続する正極１１０ａが覆うものであり、図６に示すように、ボタン電池１１０が収容された状態で、板バネ片１１の先端部１１ａを下面周囲の正極１１０ａに接触させず、板バネ片１１を確実に負極１１０ｂへ接触させるためである。
【００７２】
ボタン電池１１０を交換するために、ボタン電池ホルダ１からボタン電池１１０を取り出す場合には、切り起こし片６を外方（拡径方向）へ撓ませ、板バネ片１１により押し上げられるボタン電池１１０を摘み、位置決め枠部４から抜き出す。
【００７３】
本実施の形態に係るボタン電池ホルダ１によれば、プリント配線基板１１１へ実装する前には、板バネ片１１と仮止め凹部８が近接することにより、正極コンタクト２と負極コンタクト３を相互に仮止め可能とし、ボタン電池１１０を収容する使用時には、正極コンタクト２と負極コンタクト３に近接する部位がなく、誤って相互が接触することがない。
【００７４】
尚、上述の実施の形態では、下方に押し込まれるボタン電池１１０により、板バネ片１１の先端部１１ａと仮止め凹部８の仮止めを解いたが、実装機でプリント配線基板１１１上へ移送した後、実装機のプッシャーを板バネ片１１に押し当てて、板バネ片１１を押し下げることにより仮止めを解いてもよい。
【００７５】
また、仮止めの為に、板バネ片１１の先端部１１ａと仮止め凹部８間に介在させる仮止め部材は、上述した絶縁キャップ１３の他、先端部１１ａと仮止め凹部８の少なくとも一方に塗布される絶縁塗料や、その一方に巻き付けたり貼り付けられる絶縁フィルムであってもよい。更に、ボタン電池１１０が収容される使用時には、先端部１１ａは仮止め凹部８から離されるので、仮止め部材１３は必ずしも絶縁性を有するものである必要はない。
【００７６】
更に、板バネ片１１の先端部１１ａと仮止め凹部８の形状から、両者が仮止めされるものであれば、仮止め部材１３も省略できる。図１０と図１１は、この仮止め部材を用いずに、両者を仮止めする本発明の第２の実施の形態に係るボタン電池ホルダ２０を示すもので、第１実施の形態と同一若しくは相当する構成については同一番号を付してその説明を省略する。
【００７７】
ボタン電池ホルダ２０を構成する正極コンタクト２の仮止め凹部２１は、図１１に示すように、左右の内側面がテーパー状で形成され、上方に向かって水平方向の幅が狭くなっている。一方、この仮止め凹部２１を先端が挿通するように形成された板バネ片２２は、中央部１０ａに連設された基端で斜め上方に折り曲げられ、基端から先端まで直線上に傾斜するように、中央部１０ａで片持ち支持されている。また、仮止め凹部２１を挿通する板バネ片２２の先端部２２ａの横幅は、仮止め凹部２１の内頂面の幅より広い幅となっている。
【００７８】
負極コンタクト３の板バネ片２２を正極コンタクト２の仮止め凹部２１の下方から上方に押し込むと、板バネ片２２の先端部２２ａの両側は、仮止め凹部２１の両内側面に圧接し、先端部２２ａと仮止め凹部２１が係合して両者が仮止めされる。プリント配線基板１１１への実装前には、仮止めされた負極コンタクト３と正極コンタクト２を、実装する形態で一体に管理でき、また、実装機でプリント配線基板１１１上に移送する際には、吸着ヘッドを負極コンタクト３側の中央部１０ａに吸着させて移送するので、負極コンタクト３上に仮止めされる正極コンタクト２が移送中に脱落することはない。
【００７９】
板バネ片２２の先端部２２ａと仮止め凹部２１間の係合は、第１の実施の形態と同様に、実装機のプッシャー、若しくは位置決め枠部４に収容されるボタン電池１１０により板バネ片２２が押し下げられ、解かれる。その結果、ボタン電池１１０が収容される使用時には、先端部２２ａは仮止め凹部２１から離間し、負極コンタクト３と正極コンタクト２とは互いに絶縁される。
【００８０】
図１２乃至図１４は、本発明の第３の実施の形態に係るボタン電池ホルダ３０を示すもので、ボタン電池１１０をプリント配線基板１１１と平行な水平方向から挿入して収容可能とするものである。本実施の形態に係るボタン電池ホルダ３０は、プリント配線基板１１１の表面に沿って固定される負極コンタクト３１と、その上方を覆う正極コンタクト３２とで構成されている。以下、図１２において、右方を前方と、前方に向かって図中上下方向を左右方向として各部を説明する。
【００８１】
負極コンタクト３１は、プリント配線基板１１１の表面に沿って配置され、左右両側に突出する接続部３３ａが対向位置に形成されたプリント配線基板１１１の負極パターンに半田接続される負極半田接続板部３３と、負極半田接続板部３３の中央の後端から後方に向かって斜め上方に折り曲げられた一対の板バネ片３４、３４とが、導電性金属板を打ち抜いて一体に形成されたものである。
【００８２】
斜め上方に折り曲げられた板バネ片３４には、中間部に上方に突出する接触凸部３４ａが形成され、その先端側は水平方向に折り返されている。
【００８３】
また、正極コンタクト３２も、同様に導電性板材を打ち抜いて全体が一体に形成されるもので、受圧板３９の左右両側から下方に向けて折り曲げられた４枚の側板３５と、後端に垂設される背板３６と、背板３６の両側から、前方に向かって片持ち支持された一対の弾性腕部３７、３７と、各側板３５の下端から更に左右方向に水平に折り曲げられた正極半田接続部３８とを有している。
【００８４】
正極半田接続部３８は、プリント配線基板１１１上の負極パターンの前後方向両側に印刷形成された正極パターンに半田付けされるもので、これによって、左右の側板３５間に掛け渡された受圧板３９が、一対の板バネ片３４、３４上を覆うように、正極コンタクト３２がプリント配線基板１１１上に位置決め固定される。
【００８５】
一対の弾性腕部３７、３７は、図示するように受圧板３９の下面に沿って片持ち支持され、ボタン電池１１０の側面を挟持するように、円弧状に形成されている。また、円弧状の先端部は、斜め前方に折り返され、前方から一対の弾性腕部３７、３７間にボタン電池１１０を挿入自在としている。
【００８６】
このように構成されるボタン電池ホルダ３０のプリント配線基板１１１への実装は、負極パターン１１１ｂへ負極コンタクト３１の負極半田接続板部３３を半田付けし、負極コンタクト３１をプリント配線基板１１１上へ固定した後、正極パターン１１１ａへ正極半田接続部３８を半田付けし、負極コンタクト３１を覆うように、正極コンタクト３２をプリント配線基板１１１上へ固定する。プリント配線基板１１１への実装した状態で、正極コンタクト３２と負極コンタクト３１は、それぞれ正極パターンと負極パターンに電気接続し、負極コンタクト３１の一対の板バネ片３４、３４が、正極コンタクト３２、一対の弾性腕部３７、３７間で受圧板３９の下方に配置されるように、プリント配線基板１１１上に位置決め固定される。
【００８７】
図１３、図１４において二点差線で示すボタン電池１１０を、前方から一対の弾性腕部３７、３７間内に挿入すると、一対の弾性腕部３７、３７は、図１３の破線で示すように、左右方向に撓み、更にボタン電池１１０を挿入すると、円弧状の弾性腕部３７、３７間に挟まれ水平方向に位置決めされる。同時に、ボタン電池１１０の下面には、板バネ片３４、３４が弾性接触し、受圧板３９とに挟まれて上下方向に位置決めされる。また、ボタン電池１１０の下面に露出する負極１１０ｂは、下面に弾性接触する板バネ片３４、３４を介して、プリント配線基板１１１の負極パターンに、正極１１０ａは、側面に弾性接触する一対の弾性腕部３７、３７を介して、プリント配線基板１１１の正極パターンにそれぞれ電気接続する。
【００８８】
上述の各実施の形態では、ボタン電池１１０の負極１１０ｂ周囲に露出する正極１１０ａに板バネ片１１、３４が誤接触しないように、板バネ片１１、３４に接触凸部１１ｂ、３４ａを形成しているが、板バネ片１１、３４が確実にボタン電池１１０の負極１１０ｂに接触する位置に片持ち支持されているものであれば、必ずしも接触凸部１１ｂ、３４ａを形成する必要はない。
【００８９】
また、板バネ片１１、３４の数は、ボタン電池１１０を確実に位置決めし、その負極１１０ｂに接続できるものであれば、上述の各実施の形態に示す数に限らない。
【００９０】
更に、上述の各実施の形態では、正極コンタクト２、３２と、負極コンタクト３、３１をそれぞれプリント配線基板１１１の表面側の各パターンに半田付けしたが、その一方若しくは双方を、プリント配線基板１１１を挿通して、背面側の正極パターン１１１ａ、負極パターンへ半田接続するものであってもよい。背面側の正極パターン１１１ａへ半脱接続させる場合には、例えば、正極半田接続部５、正極半田接続板部３８は、プリント配線基板１１１を挿通するように、位置決め枠部４や側板３５と平行な下方に向かって垂設される。
【産業上の利用可能性】
【００９１】
本発明は、ポータブル機器に取り付けられ、ポータブル機器の電源となるボタン電池を収容するボタン電池ホルダに適している。
【図面の簡単な説明】
【００９２】
【図１】本発明の一実施の形態に係るボタン電池ホルダ１を斜め上方からみた斜視図である。
【図２】ボタン電池ホルダ１を斜め下方からみた斜視図である。
【図３】ボタン電池ホルダ１の平面図である。
【図４】ボタン電池ホルダ１の側面図である。
【図５】図３のＡ−Ａ線断面図である。
【図６】ボタン電池１１０を収容した状態を示す図３のＡ−Ａ線断面図である。
【図７】正極コンタクト２の平面図である。
【図８】正極コンタクト２の側面図である。
【図９】負極コンタクト３の（ａ）は、平面図、（ｂ）は、正面図、（ｃ）は、側面図である。
【図１０】第２の実施の形態に係るボタン電池ホルダ２０の平面図である。
【図１１】仮止め凹部２１に沿って板バネ片２２を切断したボタン電池ホルダ２０の縦断面図である。
【図１２】本発明の第３の実施の形態に係るボタン電池ホルダ３０の平面図である。
【図１３】弾性腕部３７に沿って切断したボタン電池ホルダ３０の横断面図である。
【図１４】ボタン電池１１０を収容した状態を示す図１２のＢ−Ｂ線断面図である。
【図１５】従来のボタン電池ホルダ１００を示す縦断面図である。
【符号の説明】
【００９３】
１        ボタン電池ホルダ
２        正極コンタクト
３        負極コンタクト
４        位置決め枠部
５        正極半田接続部
６        受圧片
６ａ      受圧面
６ｂ      ガイド面
７        補強リブ
８        仮止め凹部
１０      負極半田接続板部
１１      板バネ片
１１ａ    先端部
１１ｂ    接触凸部
１３      仮止め部材（絶縁キャップ）
２０      ボタン電池ホルダ
２１      仮止め凹部
２２      板バネ片
２２ａ    先端部
３０      ボタン電池ホルダ
３１      負極コンタクト
３２      正極コンタクト
３３      負極半田接続板部
３４      板バネ片
３５      側板
３６      背板
３７      弾性腕部
３８      正極半田接続部
３９      受圧板
１１０    ボタン電池
１１０ａ  正極
１１０ｂ  負極
１１１    プリント配線基板
Ｎ        中心軸
【図１】
2007005078.tif 000003
【図２】
2007005078.tif 000004
【図３】
2007005078.tif 000005
【図４】
2007005078.tif 000006
【図５】
2007005078.tif 000007
【図６】
2007005078.tif 000008
【図７】
2007005078.tif 000009
【図８】
2007005078.tif 000010
【図９】
2007005078.tif 000011
【図１０】
2007005078.tif 000012
【図１１】
2007005078.tif 000013
【図１２】
2007005078.tif 000014
【図１３】
2007005078.tif 000015
【図１４】
2007005078.tif 000016
【図１５】
2007005078.tif 000017